(57)【特許請求の範囲】
【請求項１】
板面に描かれた画像を読み取る画像読み取りセンサを備える電子黒板と、
通信回線を介してファクシミリデータの送受信を行うファクシミリ装置と、
該ファクシミリ装置の受信したファクシミリデータを蓄積するファクシミリ用受信メモリと、
前記電子黒板の画像読み取りセンサが読み取った画像データ及び前記ファクシミリ装置が受信したファクシミリデータの印刷を実行する印刷手段と、
前記電子黒板の画像読み取りセンサに前記板面に描かれた画像データを読み取らせて前記印刷手段による印刷を実行させるための指令を与える電子黒板コピー指令手段と、
前記ファクシミリデータの印刷に優先して前記電子黒板コピー指令手段による印刷を実行させる電子黒板優先コピーモードを設定する電子黒板優先印刷指令手段と、
該電子黒板優先印刷指令手段によって電子黒板優先コピーモードが設定されたときは、タイマーをスタートさせ、その後タイムアップするまでは、前記印刷手段を前記電子黒板コピー指令手段が操作されたときにだけ作動させ、前記ファクシミリ装置がファクシミリデータを受信しても前記ファクシミリ用受信メモリにファクシミリデータを記憶させるだけに留める印刷制限手段と、
前記タイムアップが確認されたときは前記電子黒板優先コピーモードを解除すると共に、前記ファクシミリ用受信メモリにファクシミリデータが受信されているか否かを判断し、ファクシミリデータが受信されている場合には、前記印刷手段に当該ファクシミリデータの印刷出力を実行させるモード解除時制御処理手段と
を備えているファクシミリ通信機能付き電子黒板システム。
【請求項２】
請求項１記載のファクシミリ通信機能付き電子黒板システムにおいて、
前記電子黒板の画像読み取りセンサに前記板面に描かれた画像データを読み取らせて前記印刷手段による印刷を実行させるための指令を与える電子黒板コピー指令手段が操作されたときに前記印刷手段によりファクシミリデータの印刷を実行している最中である場合は、前記印刷手段は、該ファクシミリデータの印刷が数ページ分終了するのを待って、前記電子黒板の画像読み取りセンサが読み取った画像データの印刷を優先的に実行させる手段として構成されていること
を特徴とするファクシミリ通信機能付き電子黒板システム。
【請求項３】
請求項１記載のファクシミリ通信機能付き電子黒板システムにおいて、
前記印刷手段により前記ファクシミリ装置が受信したファクシミリデータの印刷を実行している最中に、前記電子黒板の画像読み取りセンサに前記板面に描かれた画像データを読み取らせて前記印刷手段による割込印刷を実行させるための割込印刷指令を与える割込印刷指令手段と、
該割込印刷指令手段が作動している間は、前記ファクシミリ装置によって受信されるファクシミリデータを前記ファクシミリ用受信メモリに蓄積しておく受信データ蓄積手段と
を備えているファクシミリ通信機能付き電子黒板システム。
【請求項４】
請求項３記載のファクシミリ通信機能付き電子黒板システムにおいて、
前記割込印刷指令手段が操作されたときに前記印刷手段によりファクシミリデータの印刷を実行している最中である場合は、前記割込印刷指令手段は、該ファクシミリデータの印刷が数ページ分終了するのを待って、前記電子黒板の画像読み取りセンサが読み取った画像データの印刷を優先的に実行させる手段として構成されていること
を特徴とするファクシミリ通信機能付き電子黒板システム。
【請求項５】
請求項３又は請求項４記載のファクシミリ通信機能付き電子黒板システムにおいて、
前記割込印刷指令手段による電子黒板側の画像データの印刷が終了してから所定時間経過した後に、前記印刷手段によるファクシミリデータの印刷を可能とする復帰遅延手段を備えていること
を特徴とするファクシミリ通信機能付き電子黒板システム。
【請求項６】
請求項３〜請求項５のいずれか記載のファクシミリ通信機能付き電子黒板システムにおいて、
前記割込印刷指令手段による電子黒板側の画像データの印刷が終了したことを報知するコピー完了報知手段を備え、該コピー完了報知手段によりコピーの完了が報知された場合は、前記印刷手段によるファクシミリデータの印刷を可能とする復帰手段を備えていること
を特徴とするファクシミリ通信機能付き電子黒板システム。
【請求項７】
請求項１〜請求項６のいずれか記載のファクシミリ通信機能付き電子黒板システムにおいて、
前記電子黒板に備えられている画像読み取りセンサによって読み取られた画像データを、前記ファクシミリ装置を介して外部に送信可能に構成されていること
を特徴とするファクシミリ通信機能付き電子黒板システム。
【発明の詳細な説明】
【０００１】
【発明の属する技術分野】
本発明は、ファクシミリ通信機能付き電子黒板システムに関するものである。
【０００２】
【従来の技術】
従来、印刷装置を有する電子機器として、ファクシミリ装置や電子黒板が知られている。
【０００３】
本発明者は、このファクシミリ装置と電子黒板とに着目し、両者の機能を併せ持ったファクシミリ通信機能付き電子黒板システムを考えたが、かかるファクシミリ通信機能付き電子黒板においては、以下に述べる様な問題が存在することに想到した。
【０００４】
【発明が解決しようとする課題】
例えば、電子黒板は会議や打ち合わせなどの際に利用されるものであり、電子黒板の板面に描かれた文字や図形等の画像データを、会議や打ち合わせの最中に印刷出力して、会議や打ち合わせの進行をスムーズに進める必要がある。これに対して、ファクシミリ通信機能をも電子黒板に備えさせると、会議や打ち合わせの最中にファクシミリデータが着信し、このファクシミリ通信機能付き電子黒板システムの印刷装置が、ファクシミリ機能に占有されてしまい、電子黒板に描かれた画像データをタイムリーに印刷出力することができなくなり、会議や打ち合わせの進行に支障を来す場合があるという問題が発生するおそれがある。
【０００５】
そこで、本発明は、ファクシミリ通信機能付き電子黒板システムにおいて、会議や打ち合わせの進行に支障なく、電子黒板の板面に描かれた画像データをタイムリーに印刷出力することができる様にすることを目的とする。
【０００６】
【課題を解決するための手段】
上記目的を達成するためになされた請求項１のファクシミリ通信機能付き電子黒板システムは、板面に描かれた画像を読み取る画像読み取りセンサを備える電子黒板と、通信回線を介してファクシミリデータの送受信を行うファクシミリ装置と、該ファクシミリ装置の受信したファクシミリデータを蓄積するファクシミリ用受信メモリと、前記電子黒板の画像読み取りセンサが読み取った画像データ及び前記ファクシミリ装置が受信したファクシミリデータの印刷を実行する印刷手段と、前記電子黒板の画像読み取りセンサに前記板面に描かれた画像データを読み取らせて前記印刷手段による印刷を実行させるための指令を与える電子黒板コピー指令手段と、前記ファクシミリデータの印刷に優先して前記電子黒板コピー指令手段による印刷を実行させる電子黒板優先コピーモードを設定する電子黒板優先印刷指令手段と、該電子黒板優先印刷指令手段によって電子黒板優先コピーモードが設定されたときは、タイマーをスタートさせ、その後タイムアップするまでは、前記印刷手段を前記電子黒板コピー指令手段が操作されたときにだけ作動させ、前記ファクシミリ装置がファクシミリデータを受信しても前記ファクシミリ用受信メモリにファクシミリデータを記憶させるだけに留める印刷制限手段と、前記タイムアップが確認されたときは前記電子黒板優先コピーモードを解除すると共に、前記ファクシミリ用受信メモリにファクシミリデータが受信されているか否かを判断し、ファクシミリデータが受信されている場合には、前記印刷手段に当該ファクシミリデータの印刷出力を実行させるモード解除時制御処理手段とを備えているファクシミリ通信機能付き電子黒板システム。
【０００７】
この請求項１のファクシミリ通信機能付き電子黒板システムによれば、電子黒板優先印刷指令手段を操作して電子黒板側の印刷をファクシミリデータの印刷に優先させるモードが設定されている場合は、電子黒板側のデータを印刷するか印刷しないかに拘わらず、ファクシミリデータの印刷出力が制限される。この結果、ファクシミリデータの受信によって印刷手段がファクシミリ機能に占有されてしまうことがなく、会議や打ち合わせの場において、電子黒板に描かれた画像データをタイムリーに印刷出力することができる。なお、この電子黒板優先印刷指令手段によって電子黒板優先コピーモードが設定されてからタイムアップするまでは、ファクシミリ装置によって受信されるファクシミリデータをファクシミリ用受信メモリに蓄積しておく。この結果、電子黒板の板面に描かれた画像データの印刷出力と、ファクシミリ装置によって受信されるファクシミリデータのメモリ受信とを平行して行うことができ、電子黒板の機能を損なわず、かつファクシミリ受信機能をも損なわずに、本システムを利用することが可能になる。
【０００８】
また、請求項２のファクシミリ通信機能付き電子黒板システムは、請求項１記載のファクシミリ通信機能付き電子黒板システムにおいて、前記電子黒板の画像読み取りセンサに前記板面に描かれた画像データを読み取らせて前記印刷手段による印刷を実行させるための指令を与える電子黒板コピー指令手段が操作されたときに前記印刷手段によりファクシミリデータの印刷を実行している最中である場合は、前記印刷手段は、該ファクシミリデータの印刷が数ページ分終了するのを待って、前記電子黒板の画像読み取りセンサが読み取った画像データの印刷を優先的に実行させる手段として構成されていることを特徴とする。
【０００９】
この請求項２のファクシミリ通信機能付き電子黒板システムによれば、電子黒板コピー指令手段が操作されたときに印刷手段によりファクシミリデータの印刷を実行している最中である場合は、このファクシミリデータの印刷が数ページ分終了するのを待って（例えば、ページの切れ目になるのを待って）、電子黒板の画像読み取りセンサが読み取った画像データの印刷を優先的に実行させる。この結果、ファクシミリ受信中の印刷データがページの途中で印刷されなくなってしまうといった不具合を防止しつつ、可能な限り速やかに電子黒板の板面に描かれた画像データの印刷出力へと移行することができる。
【００１０】
また、請求項３のファクシミリ通信機能付き電子黒板システムは、請求項１記載のファクシミリ通信機能付き電子黒板システムにおいて、前記印刷手段により前記ファクシミリ装置が受信したファクシミリデータの印刷を実行している最中に、前記電子黒板の画像読み取りセンサに前記板面に描かれた画像データを読み取らせて前記印刷手段による割込印刷を実行させるための割込印刷指令を与える割込印刷指令手段と、該割込印刷指令手段が作動している間は、前記ファクシミリ装置によって受信されるファクシミリデータを前記ファクシミリ用受信メモリに蓄積しておく受信データ蓄積手段とを備えている。
【００１１】
この請求項３のファクシミリ通信機能付き電子黒板システムによれば、電子黒板を使用して会議や打ち合わせを行っている最中に、その板面に描かれた画像データを画像読み取りセンサで読み取って印刷手段により印刷出力したいとき、割込印刷指令手段を操作することにより、電子黒板の画像読み取りセンサに板面に描かれた画像データを読み取らせて印刷手段による印刷を実行する処理を、ファクシミリ機能により印刷手段を使用している最中であっても割り込ませて実行することができる。即ち、割込先印刷指令手段が操作されることにより、印刷手段による印刷の実行に当たって、ファクシミリデータの印刷に優先して電子黒板の画像読み取りセンサが読み取った画像データの印刷を実行させる。この結果、ファクシミリデータの受信によって印刷手段がファクシミリ機能に占有されてしまうことがなく、会議や打ち合わせの場において、電子黒板に描かれた画像データをタイムリーに印刷出力することができる。なお、この割込印刷指令手段が作動している間は、受信データ蓄積手段が、ファクシミリ装置によって受信されるファクシミリデータをファクシミリ用受信メモリに蓄積しておく。この結果、電子黒板の板面に描かれた画像データの印刷出力と、ファクシミリ装置によって受信されるファクシミリデータのメモリ受信とを平行して行うことができ、電子黒板の機能を損なわず、かつファクシミリ受信機能をも損なわずに、本システムを利用することが可能になる。
【００１２】
また、請求項４のファクシミリ通信機能付き電子黒板システムは、請求項３記載のファクシミリ通信機能付き電子黒板システムにおいて、前記割込印刷指令手段が操作されたときに前記印刷手段によりファクシミリデータの印刷を実行している最中である場合は、前記割込印刷指令手段は、該ファクシミリデータの印刷が数ページ分終了するのを待って、前記電子黒板の画像読み取りセンサが読み取った画像データの印刷を優先的に実行させる手段として構成されていることを特徴とする。
【００１３】
この請求項４のファクシミリ通信機能付き電子黒板システムによれば、請求項２のファクシミリ通信機能付き電子黒板システムと同様に、割込印刷指令手段が操作されたときに印刷手段によりファクシミリデータの印刷を実行している最中である場合は、このファクシミリデータの印刷が数ページ分終了するのを待って（例えば、ページの切れ目になるのを待って）、電子黒板の画像読み取りセンサが読み取った画像データの印刷を優先的に実行させる。この結果、ファクシミリ受信中の印刷データがページの途中で印刷されなくなってしまうといった不具合を防止しつつ、可能な限り速やかに電子黒板の板面に描かれた画像データの印刷出力へと移行することができる。
【００１４】
また、請求項５のファクシミリ通信機能付き電子黒板システムは、請求項３又は請求項４記載のファクシミリ通信機能付き電子黒板システムにおいて、前記割込印刷指令手段による電子黒板側の画像データの印刷が終了してから所定時間経過した後に、前記印刷手段によるファクシミリデータの印刷を可能とする復帰遅延手段を備えていることを特徴とする。
【００１５】
この請求項５のファクシミリ通信機能付き電子黒板システムによれば、復帰遅延手段が、割込印刷指令手段による電子黒板側の画像データの印刷が終了してから所定時間経過した後に、印刷手段によるファクシミリデータの印刷を可能とする処理を実行する。これは、電子黒板の板面が表裏といった具合に複数面ある場合に、１つの板面の印刷が終了したときに、直ちにファクシミリ機能による印刷出力に移行してしまうと、他の板面に描かれている画像データの印刷出力を続けて実行できなくなるという不具合をなくし、会議や打ち合わせの方を優先して電子黒板に描かれた画像データの印刷出力を優先的に実行するためである。
【００１６】
また、請求項６のファクシミリ通信機能付き電子黒板システムは、請求項３〜請求項５のいずれか記載のファクシミリ通信機能付き電子黒板システムにおいて、前記割込印刷指令手段による電子黒板側の画像データの印刷が終了したことを報知するコピー完了報知手段を備え、該コピー完了報知手段によりコピーの完了が報知された場合は、前記印刷手段によるファクシミリデータの印刷を可能とする復帰手段を備えていることを特徴とする。
【００１７】
この請求項６のファクシミリ通信機能付き電子黒板システムによれば、コピー完了報知手段により、割込印刷指令手段による電子黒板側の画像データの印刷が終了したことを報知すると、復帰手段が、印刷手段によるファクシミリデータの印刷を可能とする状態に復帰させる。この結果、ファクシミリ機能を必要以上に抑制することがないという特有の作用・効果が発揮される。
【００１８】
また、請求項７のファクシミリ通信機能付き電子黒板システムは、請求項１〜請求項６のいずれか記載のファクシミリ通信機能付き電子黒板システムにおいて、前記電子黒板に備えられている画像読み取りセンサによって読み取られた画像データを、前記ファクシミリ装置を介して外部に送信可能に構成されていることを特徴とする。
【００１９】
この請求項７のファクシミリ通信機能付き電子黒板システムによれば、電子黒板に備えられている画像読み取りセンサによって読み取られた画像データを、ファクシミリ装置を介して外部に送信することができるので、例えば、テレビ会議等を行っている様な場合に、相手先に、電子黒板に描いた画像データを送信して印刷出力することができ、こうしたテレビ会議をスムーズに進行することができるという特有の作用・効果が発揮される。
【００２０】
【発明の実施の形態】
次に、本発明の実施の形態を図面に従って説明する。実施の形態は、ファクシミリ通信機能付き電子黒板システムに関するものである。このファクシミリ通信機能付き電子黒板システム１は、図１に示す様に、ホワイトボード３と、コピー＆ＦＡＸ本体部５と、操作パネル７とから構成されている。ホワイトボード３は、マーカーで文字や図形を描くためのシート材を備えている。また、詳細には、このファクシミリ通信機能付き電子黒板システム１は、図２に示す様に、制御の中枢を司るＣＰＵ１１と、各種の制御プログラムや制御データを記憶しているＲＯＭ１３と、制御処理の際のワークエリアや画像データの記憶領域等として働くＲＡＭ１５と、ファクシミリ送信用の原稿を読み取るスキャナ１７と、前述の操作パネル７と、受信したファクシミリデータやホワイトボード３の表裏２面の板面を構成するシート材に描かれた画像データを印刷出力するためのプリンタ１９と、ホワイトボード３のシート材に描かれた画像データを読み取るコンタクトイメージセンサ（ＣＩＳ）２１と、ファクシミリデータの符号化と復号化を実行する符号・復号器２３と、ホワイトボード３のシート材に描かれた画像データをＣＩＳ２１で読み取らせる際にシート材の送り動作を実行するシート材送りモータ２５と、ＦＡＸモデム２７と、プリンタ１９にセットされた記録紙を紙送りするための紙送りモータ２９と、ＦＡＸモデム２７と電話回線９との間を接続する回線制御部３１と、各種の表示を行うＬＣＤ３５とから構成されている。
【００２１】
次に、このファクシミリ通信機能付き電子黒板システム１において実行されるホワイトボード３に描かれた画像データのコピーを実行するための制御処理（コピー処理）の内容について、図３のフローチャートに従って説明する。この制御処理は、操作パネル７のコピーボタンを押すことにより実行され、まず、最初に、ファクシミリ受信中か否かを判断する（Ｓ１０）。ファクシミリ受信中でなければ（Ｓ１０：ＮＯ）、ファクシミリ出力フラグを０にセットして、この後、コピー処理が終了するまでは、ファクシミリデータを受信しても、当該ファクシミリデータはＲＡＭ１５のファクシミリデータ記憶領域に記憶だけするに留め、その印刷出力を制限する状態をセットする（Ｓ２０）。一方、ファクシミリデータを受信中である場合には（Ｓ１０：ＹＥＳ）、さらに、ファクシミリデータの印刷出力を実行中であるか否かを判断する（Ｓ３０）。そして、ファクシミリデータを印刷出力中でない場合には（Ｓ３０：ＮＯ）、Ｓ２０の処理へ進み、現在受信中のファクシミリデータはＲＡＭ１５への記憶をするのみに留め、印刷出力を制限する状態をセットする。一方、ファクシミリデータの印刷出力を既に開始していると判断された場合には（Ｓ３０：ＹＥＳ）、一旦ファクシミリ出力フラグを１にセットし、現在印刷中のファクシミリデータを、例えば１ページ分だけ印刷出力する処理を実行した後（Ｓ４０）、Ｓ２０へと進んでファクシミリ出力フラグを０にセットし直し、その後のページについては、ＲＡＭ１５へのメモリ蓄積に留め、ファクシミリデータの印刷出力を制限する状態をセットする。なお、受信メモリの容量等の関係から、１ページではなく、２，３ページ分を印刷出力後、ファクシミリデータの印刷出ＲＹく制限状態をセットしてもよい。
【００２２】
こうして、ファクシミリデータの印刷出力を制限する状態をセットしたら（Ｓ２０）、次に、シート材送りモータ２５を駆動制御して、ホワイトボード３のシート材に描かれた画像データをＣＩＳ２１によって読み取る処理を実行する（Ｓ５０）。そして、ＣＩＳ２１で読み取った画像データは、ＲＡＭ１５内のホワイトボード３用の画像データ蓄積エリアに記憶させる（Ｓ６０）。Ｓ５０，Ｓ６０の処理を、ホワイトボード３に描かれた画像データの読み取りが完了するまで繰り返し実行し（Ｓ７０：ＮＯ）、ホワイトボード３に描かれた画像データの読み取りが完了すると（Ｓ７０：ＹＥＳ）、ＲＡＭ１５内のホワイトボード３用の画像データ蓄積エリアに記憶されている画像データを１ラインずつプリンタ１９へ出力しつつ（Ｓ８０）、１ライン分の画像データの印刷が終了する毎に紙送りモータ２９を駆動制御して紙送りを実行する制御を行って（Ｓ９０）、ホワイトボード３に描かれた画像データの印刷出力を実行する。そして、Ｓ８０，Ｓ９０の処理をホワイトボード３に描かれた画像データの印刷出力が完了するまで繰り返し実行し（Ｓ１００：ＮＯ）、当該画像データの印刷出力が完了したら（Ｓ１００：ＹＥＳ）、次に、ホワイトボード３に描かれた画像データの印刷完了後所定時間が経過したか否かを判断する（Ｓ１１０）。そして、所定時間が経過したら（Ｓ１１０：ＹＥＳ）、ファクシミリ出力フラグを１にセットし、この間にＲＡＭ１５内のファクシミリデータ蓄積領域に蓄積されたファクシミリデータの印刷出力を実行する（Ｓ１２０）。また、所定時間が経過していない場合には（Ｓ１１０：ＮＯ）、さらに、コピー完了ボタンが押下されたか否かを判断し（Ｓ１３０）、コピー完了ボタンが押下されていない場合には（Ｓ１３０：ＮＯ）、所定時間が経過するのを待ち、一方、コピー完了ボタンが押下されている場合には（Ｓ１３０：ＹＥＳ）、所定時間の経過を待たずにＳ１２０の処理へと進んで直ちにファクシミリデータの印刷出力を開始する。
【００２３】
次に、ユーザにより、電子黒板優先コピーモードが予め設定されている場合の制御処理の内容について、図４のフローチャートに従って説明する。この制御処理では、電子黒板優先コピーモードが設定されてからの経過時間を計測するためにタイマがスタートされる（Ｓ２１０）。そして、タイムアップしたか否かを判断し（Ｓ２２０）、タイムアップしたと判断された場合には（Ｓ２２０：ＹＥＳ）、電子黒板優先コピーモードを解除する（Ｓ２３０）。そして、電子黒板優先コピーモードが設定されている間にファクシミリデータが受信されているか否かを判断し（Ｓ２４０）、ファクシミリデータが受信されている場合には（Ｓ２４０：ＹＥＳ）、ファクシミリデータの印刷出力を実行する（Ｓ２５０）。
【００２４】
一方、タイムアップしていないと判断された場合には（Ｓ２２０：ＮＯ）、さらに、ファクシミリデータを受信しているか否かを判断する（Ｓ２６０）。そして、ファクシミリデータを受信していると判断された場合には（Ｓ２６０：ＹＥＳ）、受信したファクシミリデータをメモりに記憶するＦＡＸデータメモリ受信処理を実行する（Ｓ２７０）。これに対し、ファクシミリデータを受信していないと判断された場合には（Ｓ２６０：ＮＯ）、電子黒板に描かれた画像のコピーが指令されているか否かを判断する（Ｓ２８０）。そして、電子黒板に描かれた画像のコピーが指令されたと判断された場合には（Ｓ２８０：ＹＥＳ）、電子黒板に描かれた画像をＣＩＳ２１で読み取ってプリンタに印刷出力する電子黒板コピー処理を実行する（Ｓ２９０）。なお、電子黒板に描かれた画像のコピーが指令されていない場合は（Ｓ２８０：ＮＯ）、Ｓ２２０の処理に戻って電子黒板優先コピーモードがタイムアップしたか否かの判断を繰り返し実行する。
【００２５】
以上、図３で説明したコピー処理によれば、ホワイトボード３に描かれた画像データの印刷出力が、ファクシミリ受信データの印刷出力に対して優先的に実行される。また、コピーボタンを押した時点で既にファクシミリデータの印刷が開始されているときは、印刷出力中の数ページ分のファクシミリデータの印刷出力が終わるのを待って、ホワイトボード３に描かれた画像データの印刷出力を、ファクシミリ受信データの印刷出力に対して優先的に実行する。これらの制御処理の結果、本実施の形態のファクシミリ通信機能付き電子黒板１によれば、ホワイトボード３に描かれた画像データの印刷出力が、ファクシミリ受信データの印刷出力に対して優先的に実行され、例えば、会議や打ち合わせの進行上、ホワイトボード３に描かれた画像データのコピーが必要な場合に、ファクシミリ受信データの印刷出力によってこれが制限されて会議や打ち合わせの進行が妨げられるといったことがない。また、ホワイトボード３に描かれた画像データの数ページ分のコピー処理が終了しても直ちにファクシミリ受信データの印刷出力を開始せずに、所定時間が経過するのを待つことで、再びコピーボタンが押下されて、もう１枚同じコピーを出力したり、あるいはホワイトボード３の裏面に描かれている画像データのコピーが指令される様な場合に、ファクシミリ受信データの印刷出力が再開されてしまって、会議や打ち合わせの進行を妨げるといったことが発生しない様にしている。そして、ホワイトボード３に描かれた画像データのコピー出力が完了した場合には、コピー完了ボタンを押下することで、上述の所定時間の経過を待つことなく、ファクシミリ受信データの印刷出力が再開されるので、ファクシミリ受信データを可能な限り速やかに印刷出力することが可能になっている。
【００２６】
また、図４で説明した電子黒板優先コピー優先モードが予め設定されている場合の制御処理によれば、電子黒板優先コピーモードを予め設定しておくことにより、その後所定時間が経過するまでは、電子黒板に描かれている画像のコピーを実行するか否かに拘わらず、所定時間に渡ってファクシミリデータの印刷出力を制限することができる。従って、会議等を開催するに際して、予め電子黒板優先コピーモードを設定しておくことにより、所定時間の間は、ファクシミリデータの印刷出力を制限することができ、会議の進行に応じて電子黒板に描かれた画像のコピーを実行することができる。
【００２７】
次に、このファクシミリ通信機能付き電子黒板システム１において実行されるホワイトボード３に描かれた画像データのコピーを、ファクシミリ受信データの印刷出力中に割り込み実行するための制御処理（割込印刷処理）の内容について、図５のフローチャートに従って説明する。この制御処理は、現在、ファクシミリ受信データの印刷出力が実行されているという状況下において操作パネル７のコピー割込ボタンを押すことにより実行される。まず、最初に、ファクシミリ受信データの印刷出力においてページの切れ目が来たか否かを判断する（Ｓ３１０）。そして、ページの切れ目が来るまでは（Ｓ３１０：ＮＯ）、ファクシミリ受信データの印刷出力を続行する（Ｓ３２０）。一方、ページの切れ目が来たと判断された場合には（Ｓ３３０）、ファクシミリ出力フラグを０にセットして、この後、コピー処理が終了するまでは、ファクシミリデータを受信しても、当該ファクシミリデータはＲＡＭ１５のファクシミリデータ記憶領域に記憶だけするに留め、その印刷出力を制限する割込印刷状態をセットする（Ｓ３４０）。
【００２８】
こうして、ファクシミリ受信データの印刷出力を制限する割込印刷状態をセットしたら（Ｓ３３０）、次に、シート材送りモータ２５を駆動制御して、ホワイトボード３のシート材に描かれた画像データをＣＩＳ２１によって読み取る処理を実行する（Ｓ３４０）。そして、ＣＩＳ２１で読み取った画像データは、ＲＡＭ１５内のホワイトボード３用の画像データ蓄積エリアに記憶させる（Ｓ３５０）。Ｓ３４０，Ｓ３５０の処理を、ホワイトボード３に描かれた画像データの読み取りが完了するまで繰り返し実行し（Ｓ３６０：ＮＯ）、ホワイトボード３に描かれた画像データの読み取りが完了すると（Ｓ３６０：ＹＥＳ）、ＲＡＭ１５内のホワイトボード３用の画像データ蓄積エリアに記憶されている画像データを１ラインずつプリンタ１９へ出力しつつ（Ｓ３７０）、１ライン分の画像データの印刷が終了する毎に紙送りモータ２９を駆動制御して紙送りを実行する制御を行って（Ｓ３８０）、ホワイトボード３に描かれた画像データの印刷出力を実行する。そして、Ｓ３７０，Ｓ３８０の処理をホワイトボード３に描かれた画像データの印刷出力が完了するまで繰り返し実行し（Ｓ３９０：ＮＯ）、当該画像データの印刷出力が完了したら（Ｓ３９０：ＹＥＳ）、次に、ホワイトボード３に描かれた画像データの印刷完了後所定時間が経過したか否かを判断する（Ｓ４００）。そして、所定時間が経過したら（Ｓ４００：ＹＥＳ）、ファクシミリ出力フラグを１にセットし、この間にＲＡＭ１５内のファクシミリデータ蓄積領域に蓄積されたファクシミリデータの印刷出力を実行する（Ｓ４１０）。また、所定時間が経過していない場合には（Ｓ４００：ＮＯ）、さらに、コピー完了ボタンが押下されたか否かを判断し（Ｓ４２０）、コピー完了ボタンが押下されていない場合には（Ｓ４２０：ＮＯ）、所定時間が経過するのを待ち、一方、コピー完了ボタンが押下されている場合には（Ｓ４２０：ＹＥＳ）、所定時間の経過を待たずにＳ４１０の処理へと進んで直ちにファクシミリデータの印刷出力を開始する。
【００２９】
以上の割込印刷処理により、ホワイトボード３に描かれた画像データの印刷出力が、ファクシミリ受信データの印刷出力に対して優先的に実行される。また、割込印刷ボタンを押すことにより、その時点で既にファクシミリデータの印刷が開始されていても、印刷出力中の数ページ分のファクシミリデータの印刷出力が終わるのを待って、ホワイトボード３に描かれた画像データの印刷出力を、ファクシミリ受信データの印刷出力に対して優先的に実行する。これらの制御処理の結果、本実施の形態のファクシミリ通信機能付き電子黒板１によれば、ホワイトボード３に描かれた画像データの印刷出力が、ファクシミリ受信データの印刷出力に対して優先的に実行され、例えば、会議や打ち合わせの進行上、ホワイトボード３に描かれた画像データのコピーが必要な場合に、ファクシミリ受信データの印刷出力によってこれが制限されて会議や打ち合わせの進行が妨げられるといったことがない。また、ホワイトボード３に描かれた画像データの数ページ分のコピー処理が終了しても直ちにファクシミリ受信データの印刷出力を開始せずに、所定時間が経過するのを待つことで、再びコピーボタンが押下されて、もう１枚同じコピーを出力したり、あるいはホワイトボード３の裏面に描かれている画像データのコピーが指令される様な場合に、ファクシミリ受信データの印刷出力が再開されてしまって、会議や打ち合わせの進行を妨げるといったことが発生しない様にしている。そして、ホワイトボード３に描かれた画像データのコピー出力が完了した場合には、コピー完了ボタンを押下することで、上述の所定時間の経過を待つことなく、ファクシミリ受信データの印刷出力が再開されるので、ファクシミリ受信データを可能な限り速やかに印刷出力することが可能になっている。
【００３０】
以上、本発明の一実施の形態について説明したが、本発明はこの実施の形態に限られるものではなく、その要旨を逸脱しない範囲内においてさらに種々の形態を採用することができることはもちろんである。
【００３１】
例えば、図６に示す様に、ファクシミリ通信機能付き電子黒板システム４１として、ホワイトボード４３とファクシミリ装置４５とが別体のものとして構成され、ホワイトボード４３に描かれた画像データを、ファクシミリ装置４５へとデータ回線４７を介して転送することによって、ファクシミリ装置４５を利用して、ホワイトボード４５に描かれた画像データの印刷出力を実行するシステムに対して本発明の構成を適用することもできる。この場合、ホワイトボード４３のコピー等を実行するためのコピーボタンや割込印刷ボタンを備える操作パネル４９は、ホワイトボード４３側に設けておくとよい。
【００３２】
また、ファクシミリ通信機能付き電子黒板において、ホワイトボードに描かれた画像データを、ファクシミリ装置を利用して、電話回線で所望の相手のファクシミリ装置に出力させる様に構成してもよい。かかる構成を採用することで、テレビ会議等の進行をスムーズに進めることができるという特有の効果が発揮される。
【００３３】
【発明の効果】
以上説明した様に、本発明によれば、ファクシミリ通信機能付き電子黒板システムにおいて、会議や打ち合わせの進行に支障なく、電子黒板の板面に描かれた画像データをタイムリーに印刷出力することができる。
【００３４】
具体的には、請求項１のファクシミリ通信機能付き電子黒板システムによれば、電子黒板の板面に描かれた画像データの印刷出力と、ファクシミリ装置によって受信されるファクシミリデータのメモリ受信とを平行して行うことができ、電子黒板の機能を損なわず、かつファクシミリ受信機能をも損なわずに、本システムを利用することが可能になる。
【００３５】
また、請求項２のファクシミリ通信機能付き電子黒板システムによれば、ファクシミリ受信中の印刷データがページの途中で印刷されなくなってしまうといった不具合を防止しつつ、可能な限り速やかに電子黒板の板面に描かれた画像データの印刷出力へと移行することができる。
【００３６】
また、請求項３のファクシミリ通信機能付き電子黒板システムによれば、電子黒板の板面に描かれた画像データの印刷出力と、ファクシミリ装置によって受信されるファクシミリデータのメモリ受信とを平行して行うことができ、電子黒板の機能を損なわず、かつファクシミリ受信機能をも損なわずに、本システムを利用することが可能になる。
【００３７】
また、請求項４のファクシミリ通信機能付き電子黒板システムによれば、ファクシミリ受信中の印刷データがページの途中で印刷されなくなってしまうといった不具合を防止しつつ、可能な限り速やかに電子黒板の板面に描かれた画像データの印刷出力へと移行することができる。
【００３８】
また、請求項５のファクシミリ通信機能付き電子黒板システムによれば、電子黒板の板面が表裏といった具合に複数面ある場合に、１つの板面の印刷が終了したときに、直ちにファクシミリ機能による印刷出力に移行してしまうと、他の板面に描かれている画像データの印刷出力を続けて実行できなくなるという不具合をなくし、会議や打ち合わせの方を優先して電子黒板に描かれた画像データの印刷出力を優先的に実行するためである。
【００３９】
また、請求項６のファクシミリ通信機能付き電子黒板システムによれば、ファクシミリ機能を必要以上に抑制することがないという特有の効果が発揮される。
【００４０】
また、請求項７のファクシミリ通信機能付き電子黒板システムによれば、例えば、テレビ会議等を行っている様な場合に、相手先に、電子黒板に描いた画像データを送信して印刷出力することができ、こうしたテレビ会議をスムーズに進行することができるという特有の効果が発揮される。
【図面の簡単な説明】
【図１】  実施の形態のファクシミリ機能付き電子黒板システムの装置構成を示す模式図である。
【図２】  実施の形態のファクシミリ機能付き電子黒板システムの装置構成の詳細を示すブロック図である。
【図３】  実施の形態におけるコピー処理の内容を示すフローチャートである。
【図４】  実施の形態における電子黒板優先コピーモードが設定されている場合の処理の内容を示すフローチャートである。
【図５】  実施の形態における割込印刷処理の内容を示すフローチャートである。
【図６】  変形例としてのファクシミリ機能付き電子黒板システムの装置構成を示す模式図である。
【符号の説明】
１・・・ファクシミリ通信機能付き電子黒板システム、３・・・ホワイトボード、５・・・コピー＆ＦＡＸ本体部、７・・・操作パネル、１１・・・ＣＰＵ、１３・・・ＲＯＭ、１５・・・ＲＡＭ、１７・・・スキャナ、１９・・・プリンタ、２１・・・コンタクトイメージセンサ（ＣＩＳ）２１、２３・・・符号・復号器、２５・・・シート材送りモータ、２７・・・ＦＡＸモデム、２９・・・紙送りモータ、３１・・・回線制御部、３５・・・ＬＣＤ、４１・・・ファクシミリ通信機能付き電子黒板システム、４３・・・ホワイトボード、４５・・・ファクシミリ装置、４７・・・データ回線、４９・・・操作パネル。
【図１】
0004253954.tif 000002
【図２】
0004253954.tif 000003
【図３】
0004253954.tif 000004
【図４】
0004253954.tif 000005
【図５】
0004253954.tif 000006
【図６】
0004253954.tif 000007